(57)【要約】【課題】  緊急時や救急時における情報提供と対応・誘導システムに関し、高精度の位置情報を汎用的な携帯電子機器から取得してきめ細かい誘導を実現する。【解決手段】  照明装置２００と、照明装置２００による照明と位置情報の出力を制御する照明制御装置３００と、照明装置２００から位置情報を取得する位置取得部と位置情報および緊急情報を送信する無線部と含む携帯通信端末１００と、携帯通信端末１００から受信した位置情報および緊急情報に基づいて所定の案内先に至る経路情報を抽出して携帯通信端末に返信する情報サーバ４００と、を備えている。【選択図】      図１
2007033125.tif 000002
【特許請求の範囲】
【請求項１】
照明装置から出力される位置情報を取得する位置取得部と、緊急情報の入力を行う入力部と、前記位置取得部により取得された前記位置情報及び前記入力部により入力された前記緊急情報を送信し、前記送信に対応する経路情報を受信する無線部と、前記無線部により受信された前記経路情報の制御を行う制御部と、を有する携帯通信端末。
【請求項２】
前記制御部が、前記経路情報に応じて所定方向からの位置情報を取得するよう回動可能に支持した前記位置取得部を制御する、請求項１記載の携帯通信端末。
【請求項３】
前記入力部は複数の操作ボタンを有する操作部であって、前記緊急情報の種別に基づいて予め設定された所定の操作ボタンにより、前記入力部による前記緊急情報の入力を行う、請求項１または２に記載の携帯通信端末。
【請求項４】
前記経路情報は経路画像表示や誘導音声通知である、請求項１、２または３に記載の携帯通信端末。
【請求項５】
照明装置と、
前記照明装置による照明と位置情報の出力を制御する照明制御装置と、
前記照明装置から前記位置情報を取得する位置取得部と前記位置情報および緊急情報を送信する無線部と含む携帯通信端末と、
前記携帯通信端末から受信した前記位置情報および前記緊急情報に基づいて所定の案内先に至る経路情報を発生して前記携帯通信端末に返信する情報サーバと、を有する情報提供システム。
【請求項６】
前記情報サーバは、前記携帯通信端末から送信された前記位置情報と前記緊急情報の種別に基づいて所定の案内先を選択し、該案内先に至る経路情報を発生して前記携帯通信端末に返信することを特徴とする請求項５に記載の情報提供システム。
【請求項７】
前記情報サーバは、前記案内先に至る経路情報を発生して前記携帯通信端末に返信すると共に、前記照明装置の照明形態を照明制御装置を介して制御することを特徴とする請求項６に記載の情報提供システム。
【請求項８】
前記照明制御装置は、照明を行う照明装置から位置情報を出力するよう制御するともに、照明形態を変化させて誘導光を出力することを特徴とする請求項５乃至７のいずれか１項に記載の情報提供システム。
【請求項９】
緊急情報と位置情報を送信する携帯通信端末に対して、照明を行う照明装置から位置情報を出力することを特徴とする情報提供方法。
【請求項１０】
照明装置が照明し、
前記照明装置による照明と位置情報の出力を照明制御装置が制御し、
前記照明装置からの前記位置情報を携帯通信端末の位置取得部が取得し、前記位置情報および緊急情報を前記携帯通信端末の無線部が送信し、
情報サーバが前記携帯通信端末から受信した前記位置情報および前記緊急情報に基づいて所定の案内先に至る経路情報を抽出して前記携帯通信端末に返信する情報提供方法。
【発明の詳細な説明】
【技術分野】
【０００１】
本発明は、携帯通信端末とそれを用いた情報提供システムに関し、特に、緊急時や救急時における情報提供と対応・誘導システムに関するものである。
【背景技術】
【０００２】
災害などの緊急時あるいは救急時においては、危険な場所や危険な状態から逃れて安全な場所へ移動することが急務である。その対象者への誘導方法として、従来、掲示板により移動する方向を案内する方法が知られている。しかしながら誘導を受ける者が掲示板の設置場所から離れるにつれて掲示内容を見ることが困難になり、対象者が迷いやすいという欠点が存在する。
【０００３】
別な方法として、車に搭載したナビゲーションシステムによって目的地まで経路案内を行う方法がある。この場合、誘導情報を随時確認することができるので前述の例よりも確実であるが、車載機器を用いているため使用できる場面が乗車時に限定され、また、携帯性に欠けるといった問題点がある。これらの問題の改善策として、携帯情報端末を使用することでそのユーザである対象者が歩行しながら誘導情報を視聴することができる方法が特許文献１に記載されている。
【０００４】
図８は特許文献１記載の誘導方法に関する説明図である。誘導システム１００は誘導サービスを携帯情報端末（ユーザ端末）に提供するシステムである。誘導システム１００はナビゲーションサーバ１０および情報提示サーバ２０を有しており、ナビゲーションサーバ１０はユーザの現在位置、目的地のデータ、ナビゲーションプログラム、通信プログラムおよび画面案内情報を内部に記憶している。
【０００５】
通信ネットワーク２００は誘導システム１００と携帯情報端末３００との間に介在し、携帯情報端末３００と無線による通信を行う。また、誘導システム１００と通信ネットワーク２００との間は有線での通信が行われる。通信ネットワーク２００は、携帯情報端末３００（携帯電話）が定期的に発生する識別番号（電話番号）を検知することにより携帯情報端末３００の位置を検出する。この検出位置（現在位置）から目的地へ向かうための次の位置への誘導情報と識別情報は、ナビゲーションサーバ１０から前記情報提示サーバ２０へ転送される。情報提示サーバ２０は、転送されてきた誘導情報に対応する関連情報をデータベースから取り出して携帯情報端末３００に送信する。
【０００６】
携帯情報端末３００は誘導情報を出力可能な携帯情報端末であり、誘導情報の案内手段として（段落００４４）には地図の表示や音声による誘導手段が開示されている。
【特許文献１】特開２００４−２０２４０号公報
【発明の開示】
【発明が解決しようとする課題】
【０００７】
しかしながら、特許文献１に記載されているような従来の誘導システムでは、位置検出の手段として携帯電話が定期的に発生する識別番号（電話番号）を用いているため、位置情報の精度が細かく無いという問題点が存在する。位置精度は携帯電話網のエリア（もしくはエリアを構成するセル）の大きさで決まるが、セルの大きさは具体的には都心で半径５００m程度、郊外では５〜６ｋｍ程度である。そのため、この位置精度を用いてのきめ細かい誘導は容易ではない。加えて、建物の中にユーザが居る場合など上下方向の位置関係の把握も困難でありその誘導が困難である、という問題点が存在する。
【０００８】
さらに、特許文献１には記載されていないが、ＧＰＳを利用すれば位置精度を向上させることが可能と考えられる。しかし、この場合には携帯通信端末にＧＰＳ通信のための特殊な機能を必要とすることとなる。
【０００９】
本発明は、特殊な機能を必要とすること無く簡便な方法で位置情報を取得し、なお且つ良好な精度の位置情報を持ってきめ細かい誘導をもたらすことを目的としている。
【課題を解決するための手段】
【００１０】
本発明の携帯通信端末は、照明装置から出力される位置情報を取得する位置取得部と、緊急情報の入力を行う入力部と、入力部により緊急情報が入力されたときに位置取得部により取得された位置情報及び前記緊急情報を送信し、該送信に対応する経路情報を受信する無線部と、無線部により受信された経路情報に対して経路画像表示や誘導音声通知の制御を行う制御部を有している。
【００１１】
本発明の情報提供システムは、照明装置と、照明装置による照明と位置情報の出力を制御する照明制御装置と、照明装置から位置情報を取得する位置取得部と位置情報および緊急情報を送信する無線部と含む携帯通信端末と、携帯通信端末から受信した位置情報および前記緊急情報に基づいて所定の案内先に至る経路情報を抽出して、前記携帯通信端末に返信する情報サーバを有している。
【００１２】
本発明の情報提供方法は、照明装置が照明し、照明装置による照明と位置情報の出力を照明制御装置が制御し、照明装置からの位置情報を携帯通信端末の位置取得部が取得し、位置情報および緊急情報を携帯通信端末の無線部が送信し、情報サーバが携帯通信端末から受信した位置情報および緊急情報に基づいて所定の案内先に至る経路情報を抽出して携帯通信端末に返信する手段を有している。
【発明の効果】
【００１３】
本発明の携帯通信端末および情報提供システムは、照明機能と情報を送信する機能を備えた照明装置から、位置取得部を通して位置情報を取得する。照明装置は携帯電話網の基地局と比較して数量をより多く設置することが容易であり、そのため位置情報を精度良く得ることができる利点がある。また、建物の内部においては階数など上下方向の位置関係の把握も容易にできるという利点がある。従って、これらの良好な精度の位置情報を用いたきめ細かい誘導が可能となり、緊急時や救急時の避難に大いに貢献できる。加えて、携帯通信端末に通常装備されている位置取得部を通して良好な精度の位置情報を取得するので、位置精度向上のために例えばＧＰＳ通信のための特殊な機能を特に必要としない等の効果も奏する。
【発明を実施するための最良の形態】
【００１４】
次に、本発明の実施の形態について図面を参照して詳細に説明する。
図１は本発明による情報提供システムの一実施の形態を示すブロック図である。図１において情報提供システムは、携帯通信端末１００と、照明装置２００（複数の照明装置２００ａ,２００ｂ,２００ｃから構成されるがここでは照明装置２００として代表して表す）と、照明制御装置３００と、情報サーバ４００と、通信ネットワーク５００と、から主に構成される。
【００１５】
まず、本発明の実施の形態の理解を助けるため、図１に示す情報提供システムの概要を説明する。携帯通信端末１００は、緊急情報を発信すると共に、最寄りの照明装置２００から可視光通信によって位置情報を取得する。通信ネットワーク５００を介して携帯通信端末１００から緊急情報と位置情報とを取得した情報サーバ４００は、取得した緊急情報の種別と位置情報を、情報サーバ４００が記憶している案内先情報や地図情報と照合する。その結果、情報サーバ４００は、緊急情報の種別に応じて当該位置から最も近い案内先（救急病院または避難場所）を選択し、その案内先（誘導先）と案内先までの経路情報を発生する。続いて、情報サーバ４００は、携帯通信端末１００にその誘導先／経路情報を返信する。携帯通信端末１００はその情報を受信し、その情報に従って誘導先を表示、或いは、誘導音声を通知する。携帯通信端末１００は、移動により新たな最寄りの照明装置２００から位置情報を再度取得して情報サーバ４００に送信し、その移動に伴った新たな誘導先／経路情報を再度受信する。この一連の動作を繰り返して、最終的な案内先（誘導先）への誘導が実現される。
【００１６】
携帯通信端末１００は、プログラム制御により動作し、通信ネットワーク５００との接続が可能な、携帯電話機やＰＤＡ（Ｐｅｒｓｏｎａｌ  Ｄｉｇｉｔａｌ  Ａｓｓｉｓｔａｎｔ：携帯情報端末）などの通信装置である。
【００１７】
照明装置２００として、３台の照明装置２００ａ,２００ｂ,２００ｃの場合について説明する。照明装置２００ａ,２００ｂ,２００ｃはそれぞれ道路上や施設内に設置される。照明装置２００は例えば複数のLEDを光源として用いており、通常の照明機能に加えて、光源を点滅させる等の変調を行って情報（たとえば、後述する位置情報の光信号）を送信する可視光通信機能を備えている。また、照明装置２００ａ,２００ｂ,２００ｃは、発光色として、白、赤、青、緑等の複数色の可視光のＬＥＤ光源を備えており、照明制御装置３００からの駆動信号により、点灯または点滅する。
【００１８】
照明制御装置３００は、プログラム制御により動作する情報処理装置であって、通信ネットワーク５００を介して情報サーバ４００から受信した制御情報に基づき、照明装置２００ａ，２００ｂ，２００ｃの点灯、点滅を制御する駆動信号を発生する。
【００１９】
情報サーバ４００からの制御情報は、それぞれの照明装置２００ａ，２００ｂ，２００ｃに固有の位置情報と、情報サーバ４００から指定された緊急避難場所や他の誘導場所に携帯通信端末１００のユーザを誘導するための誘導情報とを有する。ここで、位置情報は、情報サーバ４００で決められており、各照明装置の位置を特定するためのものである。ただし、位置情報は、情報サーバ４００から受信されるのではなく、あらかじめ照明制御装置３００に蓄積されたものであってもよい。いずれにしても照明制御装置３００は、位置情報に基づいて照明装置２００ａ，２００ｂ，２００ｃの特定の発光色の光源の変調（位置情報の基づく駆動信号の発生）を行う。この変調された光によって各照明装置は位置情報（位置情報の光信号）を出力している。また、照明制御装置３００は、情報サーバ４００からの誘導情報に基づいて、照明装置２００ａ，２００ｂ，２００ｃのうちの特定のものに対し少なくとも一部の発光色の変更（たとえばＬＥＤ発光色の白色から赤色への変更）を制御を行う。これにより、照明装置は、変更された可視光の発光色によって、ユーザを指定された緊急避難場所や他の誘導場所に誘導することができ、すなわち誘導光を発生する。
【００２０】
図２は照明制御装置３００の構成を示すブロック図である。照明制御装置３００は、通信ネットワーク５００を介して制御情報の受信を行う受信部３０１と、照明装置２００ａ,２００ｂ,２００ｃの点灯を行う駆動信号を発生する駆動装置３０２ａ,３０２ｂ,３０２ｃ（以後、総称して駆動装置３０２と称することもある）と、制御部３０３とから主に構成される。制御部３０３は、駆動装置３０２ａ,３０２ｂ,３０２ｃを制御して各照明装置の位置情報を各照明装置２００ａ,２００ｂ,２００ｃから出力させる。制御部３０３は、緊急時や救急時において受信部３０１で誘導情報を受信した場合には、特定の駆動装置３０２を制御して特定の照明装置２００から誘導光を出力させる。なお、この実施の形態では駆動装置３０２ａ,３０２ｂ,３０２ｃは照明制御装置３００の内部に搭載された場合であるが、駆動装置３０２ａ,３０２ｂ,３０２ｃは照明装置２００ａ,２００ｂ,２００ｃの中に組み込まれていても良い。
【００２１】
図３は情報サーバ４００の構成を示すブロック図である。情報サーバ４００は、プログラム制御により動作するワークステーション・サーバ等の情報処理装置であって、緊急時、救急時の際に必要な目的地の位置情報や当該案内先のサービス内容などの案内先情報と地図情報をプログラム制御情報の他に格納する記憶部４０３と、携帯通信端末１００からの位置情報（照明装置からの位置情報）、緊急情報、あるいは救急情報を受信する送受信部４０１と、制御部４０２とを有する。制御部４０２は送受信部４０１より受信した情報の種別に応じて所定の案内先を選択し、記憶部４０３に記憶された地図情報地図情報に基づいて当該案内先に至る経路地図情報である経路情報を発生し、その経路情報を送受信部４０１から通信ネットワーク５００を経由し図示しない無線基地局から携帯通信装置１００に送信するよう制御する。さらに、制御部４０２は、照明制御装置３００に対し、前述した位置情報及び誘導情報を有する制御情報を発生し、送受信部４０１から出力するよう制御する。
【００２２】
次に、携帯通信端末１００について図面を用いて詳細に説明する。
図４は、本発明の実施の形態における携帯通信端末の構成を示すブロック図である。携帯通信端末１００は、ここでは携帯電話端末である。携帯通信端末１００はアンテナを介して無線基地局との間で無線信号を送受する無線部１０１と、画像情報や図１の照明装置２００からの前述した位置情報の取得を行うカメラ部１０２と、文字や画像などの各種情報表示出力を行う表示部１０３（１０３ａ/１０３ｂ）と、各種情報操作入力を行う操作部１０４（１０４ａ/１０４ｂ/１０４ｃ）と、を含む。さらに携帯通信端末１００は、音声信号処理を行う音声処理部１０５と、音声処理部１０５への入力、出力を行う送話部１０６および受話部１０７と、楽音、報知音などを出力するスピーカ１０８と、電話帳情報、送受信メール情報、発着呼情報、コンテンツ情報、プログラム情報などの携帯電話端末の各種設定などを格納するメモリ１０９と、電話機能、メール機能、ｗｅｂ接続やインターネット接続機能、カメラ機能、可視光による情報取得/出力機能および携帯通信端末各部の制御を行う制御部１１０と、から主に構成される。  
【００２３】
携帯通信端末１００は、位置取得部であるカメラ部１０２が通常の撮影による画像情報だけでなく、照明装置２００からの位置情報の光信号を受光し、制御部１１０でそれを認識し、情報サーバ４００に送信制御にすることを特徴とする。例えば、カメラ部１０２は、ＣＣＤセンサを含む受光光学系により構成される。この場合、カメラ部１０２は、照明装置の特定のＬＥＤ光源からの位置情報の光信号を受信し認識できる機能が必要であるが、そのためには、その光信号を検出し位置情報を認識する電子回路を付加すればよく、それほど特別な機能の付加にはならない。
【００２４】
図５は、本発明の実施の形態における携帯通信端末の外観を示し、(ａ)は正面図、(ｂ)は背面図である。携帯通信端末１００は、例えば、上部筐体１１１と下部筐体１１２がヒンジ１１３を介して開閉可能に結合された折畳み型携帯電話端末であって、図示しないアンテナを介して無線基地局との間で無線信号の送受を行う。画像情報の取得や撮影を行うカメラ部１０２は携帯通信端末１００の上部筐体端部近傍に配置され、図示しない回転軸を介して回動可能に支持されている。表示部１０３は携帯通信端末１００の上部筐体の内面と外面（背面）にそれぞれ設けられた表示部１０３ａと１０３ｂを有する。操作部１０４は、携帯通信端末１００の下側筐体の内面に配設された決定ボタン部１０４ａとテンキーボタン部１０４ｂと有し、さらにサイドボタン部１０４ｃを上部筐体と下部筐体が閉じた状態でも操作可能になるよう下側筐体の側面に有する。
【００２５】
カメラ部１０２について詳説する。カメラ部１０２は画像情報の取得や撮影を行うだけでなく位置取得部としても機能する。図７（ａ），（ｂ），（ｃ）は図４の携帯通信端末におけるカメラ部１０２の拡大側面図である。カメラ部１０２は撮像用のレンズ１０２１と筐体１０２３と回転軸１０２２から主に構成される。回転軸１０２２を中心に回転移動する筐体１０２３の回転面には凹形状の溝１０２４（１０２４ａ/１０２４ｂ/１０２４ｃ）が形成されており、また上部筐体側のカメラ部１０２収納位置には凸形状の突起１０２５が形成されており、これらの凹凸のかみ合う位置（所定位置）でカメラ部１０２は係止できる。カメラ部１０２がどの所定位置にあるかは、溝１０２４（１０２４ａ/１０２４ｂ/１０２４ｃ）位置の検出を行う光学式、磁気式、または機械式等の図示しないセンサによって検出される。なお、凹形状の溝の数として３箇所の場合で説明したが、溝の数は３箇所に限られるものではない。また、筐体１０２３の回転面と上部筐体側のカメラ部１０２収納位置における凸形状の突起と凹形状の溝の組み合わせは逆であってもよい。
【００２６】
図６は、本発明の実施の形態の情報提供システムの動作を表すシーケンス図である。携帯通信端末１００は、利用者による緊急情報の入力操作（操作部１０４の予め設定された操作ボタンが所定の時間押下される）がなされた場合、カメラ部１０２を介して照明装置２００から位置情報の取得を行う（S１０１〜S１０２）。操作ボタンに予め設定された緊急情報の種別としては、例えば、テンキーのうちの“１”を２秒以上押下した場合は救急病院の案内要求が、“３”を２秒以上押下した場合は天災時の緊急避難先の案内要求である。照明装置２００からの位置情報とは発光強度の強弱や発光色の変化などの光信号であり、各々の照明装置２００ａ,２００ｂ,２００ｃは互いに識別できるように固有の信号パターンを有する。この位置情報である照明装置からの発光信号パターンは、照明制御装置３００あるいは情報サーバ４００に記憶されており、照明制御装置３００によって各々制御された照明装置２００ａ,２００ｂ,２００ｃから出力される（S１１２〜S１１３）。図４の携帯通信端末１００は、カメラ部１０２が取得したこの位置情報を制御部１１０で認識し、この位置情報と操作部１０４の操作により入力された緊急情報とを無線部１０１から送信する（S１０３）。
【００２７】
情報サーバ４００は、通信ネットワーク５００を介して受信した緊急情報と位置情報とを送受信部４０１を介して受信する。図３において制御部４０２は、受信した緊急情報の種別と位置情報を記憶部４０３内の案内先情報や地図情報と照合し、緊急情報の種別に応じて当該位置から最も近い案内先（救急病院または避難場所）を選択しその案内先（誘導先）と案内先までの経路情報を発生する（S１０４〜S１０５）。さらに、制御部４０２の制御により送受信部４０１を介してその誘導先／経路情報を携帯通信端末１００に返信する（S１０８）。また、携帯通信端末１００への経路の案内や位置情報取得が容易に行われるように、制御部４０２は照明制御装置３００に対して当該案内先に至る照明装置２００の少なくとも一部の発光色を変更させるように誘導情報を含む制御情報を出力する。これにより照明制御装置３００は、駆動信号を発生し、照明装置は携帯通信端末１００のユーザを案内先に誘導する誘導光を出力する（S１０６,S１０７,S１１４）。
【００２８】
携帯通信端末１００の無線部１０１は、通信ネットワーク５００と図示しない無線基地局を介して情報サーバ４００から誘導先／経路情報を受信し、制御部１１０は案内モード（当該発光色を選択受光して位置情報取得を行うカメラ制御モード）に入る。案内モードでは、制御部１１０はカメラ部１０２を介して位置情報を取得しながら誘導先に至る方向表示を行う（S１０９〜S１１１）。その際、制御部１１０はカメラ部１０２の係止位置の検出を行うが、現状の係止位置が選択受光すべき照明装置２００に対して最適な係止位置と異なる場合には、表示部１０３にカメラ部１０２のポジション変更表示を行ったり、あるいは音声通知を行ったりしても良い。このようなポジション変更を採用することで、例えば、カメラ部１０２を上部筐体１１１のヒンジのある側とは逆の端面向き（図７（ｂ））にして、前方からの光源を選択的に取得できることになる。これによって光源の選択性を更に増すことができ確実に位置情報を取得できる効果がある。このポジション変更は案内の確実性と操作性の向上に大いに役立つ。また、位置情報を取得しながら誘導先に至る方向表示を行う際に、スピーカ１０８を介して音声による誘導通知を行ってもよい。
【００２９】
以上述べてきた実施の形態では携帯通信端末１００はヒンジを介して開閉可能に結合された折畳み型を例にしたが、単一の筐体からなる携帯通信端末を用いてもシステム構成可能であることは言うまでもない。また、照明装置２００の光源としてＬＥＤを例にしたが、照明装置の構成として電球、蛍光灯等であってもかまわない。また、照明制御装置と照明装置はそれぞれ複数設けてもよい。
【００３０】
以上説明したように、本発明の実施の形態の携帯通信端末および情報提供システムおよび情報提供方法は、照明機能と情報を送信する機能を備えた照明装置から位置情報を取得するので位置情報を精度良く得ることができ、また、建物の内部においては階数など上下方向の位置関係の把握も容易にできるので、きめ細かい誘導を行うことができる。従って、緊急時や救急時の避難に大いに貢献するものである。加えて、良好な精度の位置情報の取得を携帯通信端末に通常装備されているカメラを用いて行うことができ、例えばＧＰＳのような特殊な機器を特に必要としないと言う効果も奏する。このような携帯通信端末および情報提供システムおよび情報提供方法を提供できる効果は産業上極めて大きいと言える。
【図面の簡単な説明】
【００３１】
【図１】本発明による情報提供システムの実施の形態を示すブロック図である。
【図２】図１の情報提供システムにおける照明制御装置の一例を示すブロック図である。
【図３】図１の情報提供システムにおける情報サーバの一例を示すブロック図である。
【図４】本発明による携帯通信端末の実施の形態を示すブロック図である。
【図５】図４の携帯通信端末の外観を示し、（ａ）は正面図、（ｂ）は背面図である。
【図６】本発明による実施形態の処理手順のシーケンス図である。
【図７】図４の携帯通信端末におけるカメラ部の詳細を示し、（ａ)は第１のカメラ位置を示す側面図、（ｂ）は第２のカメラ位置を示す側面図、（ｃ）は第３のカメラ位置を示す側面図である。
【図８】従来のシステム構成例を示すブロック図である。
【符号の説明】
【００３２】
１００    携帯通信端末
１０１    無線部
１０２    カメラ
１０３    表示部
１０４    操作部
１０５    音声処理部
１０６    送話部
１０７    受話部
１０８    スピーカ
１０９    メモリ
１１０    制御部
１１１    上部筐体
１１２    下部筐体
１１３    ヒンジ
２００    照明装置
３００    照明制御装置
４００    情報サーバ
５００    通信ネットワーク
【図１】
2007033125.tif 000003
【図２】
2007033125.tif 000004
【図３】
2007033125.tif 000005
【図４】
2007033125.tif 000006
【図５】
2007033125.tif 000007
【図６】
2007033125.tif 000008
【図７】
2007033125.tif 000009
【図８】
2007033125.tif 000010